(57)【要約】      （修正有）【課題】受動素子の数を減らしてホイッスルの体積を減らし、かつ低価格で製造することができる電気ホイッスルを提供する。【解決手段】電気ホイッスルは、電源回路１０と、インダクタと、電気スイッチと、ブザー２０と、音調設定用抵抗Ｒ１と、音用ＩＣ３０とを具備する。音用ＩＣ３０は、電気スイッチを作動するための音声制御信号を発生する。電気スイッチが作動すると、インダクタが誘導電圧を発生し、ブザー２０を作動する。音声制御信号の発振周波数は、コンデンサを用いることなく音調設定用抵抗Ｒ１のみによって決定される。従って、受動素子の数を低減できる。電気ホイッスルは、コンパクトで持ち運びできる。【選択図】図１
2014026145.tif 000002
【特許請求の範囲】
【請求項１】
１）動作電圧を発生する電源回路と、
２）  前記電源回路に接続される第１ピンと、
共通ピンと、
第２ピンと、
前記第１ピンと前記共通ピンとの間に接続される第１コイルと、
前記第２ピンと前記共通ピンとの間に接続され、前記第１コイルに結合される第２コイルと、を具備するインダクタと、
３）前記共通ピンと接地との間に接続され、制御端子を有する電気スイッチと、
４）前記第２ピンと前記インダクタの前記共通ピンとの間に接続されるブザーと、
５）２つの端子を有する音調設定用抵抗と、
６）  動作電圧を受けるため、電源回路に接続される電源ピンと、
それぞれ前記音調設定用抵抗の２つの端子に接続される２つの発振周波数設定ピンと、
複数の音声トラックを記憶するデータベースと、
それぞれ前記音声トラックに対応する複数の選択ピンであって、その一つを選択すると、選択した前記選択ピンと対応する前記音声トラックが選択される、前記複数の選択ピンと、
前記電気スイッチの制御端子に接続される音声出力ピンと、
前記発振周波数設定ピンと、前記電源ピンと、前記音声出力ピンと、前記データベース及び前記選択ピンに接続される発振ユニットとを具備する音用ＩＣであって、接地されている前記選択ピンに基づいて音声制御信号を発生し、同音声制御信号を、前記音声出力ピンを介して前記電気スイッチに送信し、音声制御信号の発振周波数を、前記音調設定用抵抗によって決定する前記音用ＩＣと、を具備する電気ホイッスル。
【請求項２】
前記電源回路は、前記動作電圧を発生する携帯パワーパックと、前記携帯パワーパックに直列に電気的に接続されるパワースイッチとを具備することを特徴とする請求項１記載の電気ホイッスル。
【請求項３】
前記携帯パワーパックに並列に電気的に接続されるコンデンサをさらに具備することを特徴とする請求項２記載の電気ホイッスル。
【請求項４】
前記電気ホイッスルは、さらに、前記音声出力ピンと前記制御端子間に接続されるバイアス抵抗を具備することを特徴とする請求項１〜３のうちいずれかに記載の電気ホイッスル。
【請求項５】
前記電気スイッチはＮＰＮ型のＢＪＴであり、前記制御端子を形成するベースと、前記共通ピンに接続されるコレクタと、接地されるエミッタとを具備することを特徴とする請求項１〜４のうちいずれかに記載の電気ホイッスル。
【請求項６】
前記音用ＩＣは、ＰＳＧ６１であることを特徴とする請求項1記載の電気ホイッスル。
【発明の詳細な説明】
【技術分野】
【０００１】
本発明は、電気ホイッスル、特に、小さな体積を有し、コンパクトでかつ使用者が容易に持ち運ぶことができる電気ホイッスルに関する。
【背景技術】
【０００２】
ホイッスルは多くの目的で用いられる。このような目的として次のものがある。
警察官は甲高い音で公衆の注意をひくことができ、特に、交通騒音のような背景騒音がある場合に、ただ単に叫ぶよりも大きな音で公衆の注意をひきつけることができる。
【０００３】
球技で、ルール違反があった場合のように、審判員が選手に審判を下す場合にホイッスルをならすことができる。
【０００４】
街路で襲われたとき、ホイッスルを吹いて大きな音を出すことによって、攻撃者をひるませることができ、また、近くの人の注意を引き、助けを呼ぶことができる。
【０００５】
台湾特許Ｍ２４５５７４に、電気ホイッスルが開示されている。電気ホイッスルは、口の中に入れる従来のホイッスルよりも衛生的である。というのは、電気ホイッスルは、吹くことなしに大きなブザー音を発生することができるからである。
【０００６】
図３を参照して説明すると、電気ホイッスルは、制御用集積回路（ＩＣ）４０と、複数の抵抗Ｒ１−Ｒ３と、コンデンサＣ１と、インダクタＬと、トランジスタＱ１と、ブザー５０とを有する。
【０００７】
制御用ＩＣ４０は、第１ピンと、第４ピンと、第５ピンと、第7ピンとを有する。第７ピンは、動作電圧を得るべく、電源ＶＣＣに電気的に接続するために設けられている。
【０００８】
抵抗Ｒ３は、第4ピンと第７ピンの間に電気的に接続されている。
【０００９】
コンデンサＣ１は、第７ピンに電気的に接続されている。
【００１０】
抵抗Ｒ２は、並列でコンデンサＣ１に電気的に接続されている。
【００１１】
インダクタＬは、第１コイルＬaと、第２コイルＬｂとを有する。第１コイルＬaは、電源に電気的に接続されている。第２コイルＬｂは、第１コイルＬaに結合されている。
【００１２】
トランジスタＱ１は、ＮＰＮ型ＢＪＴのようなバイポーラ接合トランジスタ（ＢＪＴ）である。トランジスタＱ１は、ベースと、コレクタと、エミッタとを有する。ベースは、制御用ＩＣ４０の第１ピンに電気的に接続されている。コレクタは、第１コイルＬaと第２コイルＬｂに電気的に接続されている。エミッタは、接地されている。
【００１３】
抵抗Ｒ１は、トランジスタＱ１のベースとエミッタ間に電気的に接続されている。
【００１４】
ブザー５０は、インダクタＬの第２コイルＬｂに電気的に接続されている。
【００１５】
制御用ＩＣ４０は、発振信号を生じ、この発振信号を、第１ピンを介してトランジスタＱ１に送り、トランジスタＱ１を作動させる。発振信号の発振周波数は、コンデンサＣ１と抵抗Ｒ２、Ｒ３によって決定される。
【００１６】
トランジスタＱ１がオンになると、電流が第１コイルＬa内を流れ、第１コイルＬaが磁界を発生する。次に、第２コイルＬｂが磁界を感知し、誘導電圧を生じ、ブザー５０を作動させる。
【先行技術文献】
【特許文献】
【００１７】
【特許文献１】台湾特許Ｍ２４５５７４号公報
【発明の概要】
【発明が解決しようとする課題】
【００１８】
しかし、発振信号の発振周波数を決定するために必要であるコンダクタＣ１や抵抗Ｒ２などの受動素子は、確実に、従来の電気ホイッスルの体積を増加することになる。このような受動素子の使用は、従来の電気ホイッスルの体積を低減することができないことを意味する。従って、このような電気ホイッスルは、使用者が持ち運ぶ際に不便である。さらに、複数の受動素子を使用することは、製造費を著しく高めることになる。
【課題を解決するための手段】
【００１９】
本発明は、受動素子の数を減らしてホイッスルの体積を減らし、かつ低価格で製造することができる電気ホイッスルを提供することを目的とする。
【００２０】
本発明の電気ホイッスルは、電源回路と、インダクタと、電気スイッチと、ブザーと、音調設定用抵抗と音用ＩＣとを具備する。
【００２１】
電源回路は動作電圧を発生する。
【００２２】
インダクタは、第１ピンと、共通ピンと、第２ピンと、第１コイル及び第２コイルとを有する。第１ピンは、電源回路に接続されている。第１コイルは、第１ピンと共通ピンとの間に接続されている。第２コイルは、第２ピンと共通ピンとの間に接続されており、かつ、第１コイルに結合されている。
【００２３】
電気スイッチは、共通ピンと接地との間に接続されており、制御端子を有する。
【００２４】
ブザーは、第２ピンとインダクタの共通ピンとの間に接続されている。  
【００２５】
音調設定用抵抗は２つの端子を有する。
【００２６】
音用ＩＣは、電源ピンと、２つの発振周波数設定ピンと、データベースと、複数の選択ピンと、音声出力ピンと、発振ユニットとを具備する。
【００２７】
電源ピンは、動作電圧を受けるため、電源回路に接続されている。
【００２８】
２つの発振周波数設定ピンは、それぞれ音調設定用抵抗の２つの端子に接続されている。
【００２９】
データベースは、複数の音声トラックを記憶している。
【００３０】
選択ピンは、それぞれ、これらの音声トラックに対応する。複数の選択ピンの一つを選択すると、対応する音声トラックが選択されることになる。
【００３１】
音声出力ピンが、電気スイッチの制御端子に接続されている。
【００３２】
発振周波数設定ピンと、電源ピンと、音声出力ピンと、データベース及び選択ピンに接続されている発振ユニットは、接地されている選択ピンに基づいて音声制御信号を発生し、この音声制御信号を、音声出力ピンを介して電気スイッチに送信する。音声制御信号の発振周波数は、音調設定用抵抗によって決定される。
【００３３】
本発明の電気ホイッスルに関して、音用ＩＣは、製造当初から音声トラックをインストールしている。音声制御信号の発振周波数は、コンデンサを用いることなく単一の音調設定用抵抗によって完全に決定される。従来の電気ホイッスルと比較して、本発明に係る電気ホイッスルは受動素子の数を少なくできる。従って、本発明の電気ホイッスルはコンパクトでかつ安価に製造できる。
【図面の簡単な説明】
【００３４】
【図１】本発明の実施例のブロック図である。
【図２】本発明の実施例の詳細な回路図である。
【図３】従来の電気ホイッスルの回路図である。
【００３５】
図１及び図２を参照して説明すると、本発明の第１実施例は、電源回路１０と、インダクタＬと、電気スイッチＱ１と、ブザー２０と、音調設定用抵抗Ｒ１と、音用ＩＣ３０とを具備する。
【００３６】
電源回路１０は、携帯パワーパック１１と、パワースイッチ１２と、コンデンサＣ１とを有する。携帯パワーパック１１は、動作電圧を発生する。本実施例では、携帯パワーパック１１は、電池である。パワースイッチ１２は、常時開のスイッチであり、携帯パワーパック１１に直列に電気的に接続されている。コンデンサＣ１は、携帯パワーパック１１に並列で電気的に接続されている。コンデンサＣ１は、不安定なノイズを除去し、本発明に係る電気ホイッスルの安定性を得るために設けられる。パワースイッチ１２がオンすると、動作電圧が供給される。
【００３７】
インダクタＬは、第１コイルＬaと、第２コイルＬｂと、第１ピンＬ１１と、第２ピンＬ２２と、共通ピンＬ３３とを有する。第１ピンＬ１１は、携帯パワーパック１１に電気的に接続されている。第１コイルＬaは、第１ピンＬ１１と共通ピンＬ３３との間に電気的に接続されている。第２コイルＬｂは、第２ピンＬ２２と共通ピンＬ３３との間に電気的に接続され、第１コイルＬaに結合されている。
【００３８】
電気スイッチＱ１は、共通ピンＬ３３と接地Ｇとの間に電気的に接続され、かつ制御端子を有する。本実施例では、電気スイッチＱ１は、ＮＰＮ型ＢＪＴ（バイポーラ接合トランジスタ）である。ＢＪＴは、ベースＢと、エミッタＥと、コレクタＣとを有する。ベースＢは、制御端子を形成する。コレクタＣは、共通ピンＬ３３に電気的に接続されている。エミッタEは接地されている。
【００３９】
ブザー２０は、インダクタＬの第２ピンＬ２２と共通ピンＬ３３との間に電気的に接続されている。ブザー２０は、圧電装置からなる。ブザー２０の音声レベルは、第２ピンＬ２２と共通ピンＬ３３との間に印加される電圧に直接的に比例する。
【００４０】
音調設定用抵抗Ｒ１は２つの端子を有する。本実施例では、音調設定用抵抗Ｒ１は１００ｋオーム（Ω）である。
【００４１】
音用ＩＣ３０は、パワーピンＶＤＤと２つの発振周波数設定用ピン（Ｘ）（Ｙ）と、複数の選択ピンＫ１〜Ｋ４と、音声出力ピンＢＺと、データベース３１と、発振ユニット３２とを有する。本実施例では、音用ＩＣ３０の型は、ＰＳＧ６１である。
【００４２】
パワーピンＶＤＤは、動作電圧の供給を受けるべく、パワースイッチ１２を介して、携帯パワーパック１１に電気的に接続されている。
【００４３】
２つの発振周波数設定用ピン（Ｘ）（Ｙ）が、それぞれ、音調設定用抵抗Ｒ１の２つの端子に電気的に接続されている。
【００４４】
データベース３１は、長いブザー音、短いブザー音やホイッスル鳴響音などの異なる音声トラックを記憶している。
【００４５】
選択ピンＫ１からＫ４は、それぞれ、音声トラックに対応し、かつ、それぞれスイッチＳ１〜Ｓ４に接続されている。スイッチＳ１からＳ４は常時開のスイッチであり、選択ピンＫ１〜Ｋ４を接地するために用いられる。例えば選択ピンＫ１は長いブザー音に対応し、選択ピンＫ２は短いブザー音に対応し、選択ピンＫ４はホイッスル鳴響音に対応する。使用者は、スイッチＳ１〜Ｓ４のいずれかを押すことによって、興味を持った一つの音声トラックを選択することができ、これによって、対応する選択ピンＫ１、Ｋ２，Ｋ３又はＫ４が接地Ｇに接続されることになる。
【００４６】
音声出力ピンＢＺは、電気スイッチＱ１の制御端子に電気的に接続され、この際、バイアス抵抗Ｒ２が、音声出力ピンＢＺと制御端子との間に電気的に接続される。
【００４７】
発振ユニット３２は、パワーピンＶＤＤと、発振周波数設定用ピン（Ｘ）（Ｙ）と、選択ピンＫ１〜Ｋ４と、音声出力ピンＢＺと、データベース３１とに電気的に接続されている。発振ユニット３２は、選択ピンＫ１〜Ｋ４のうちどのピンが接地されているかを判断し、音調設定用抵抗Ｒ１と、同抵抗に対応する音声トラックに基づいて、音声制御信号を発生する。例えば、選択ピンＫ４が接地されている場合、発振ユニット３２は、ホイッスル鳴響音に対応する音声制御信号を発生する。音調設定用抵抗Ｒ１は、音声制御信号の発振周波数を決定し、ホイッスル鳴響音の音調を調整するために用いられる。
【００４８】
音声制御信号は、交互に変化する複数の高電位と複数の低電位からなる。電気スイッチＱ１が音声制御信号を受信すると、電気スイッチＱ１が高電位でオンし、低電位でオフする。電気スイッチＱ１がオンすると、携帯パワーパック１１と、インダクタＬの第１コイルＬaと、電気スイッチＱ１とは電流ループを形成し、電流が第１コイルＬa内を流れる。電流が第１コイルＬa内を流れると、第１コイルＬaは磁界を発生する。その後、第２コイルＬｂが磁界を感知し、誘導電圧を発生し、ブザー２０が作動する。
【００４９】
音声出力ピンＢＺから送信される選択音声制御信号に基づいて、電気スイッチＱ１が交互にオン、オフする。それによって、第１コイルＬaが作動して、第２コイルＬｂに、音声制御信号に対応する誘導電圧を発生させる。従って、ブザー２０が誘導電圧によって作動し、ブザー音を発生する。
【００５０】
ブザー２０は、基本的に音声制御信号に基づいて制御される。従来の電気ホイッスルと比較して、本発明にかかる音声制御信号の発振周波数は、コンデンサを用いることなく音調設定用抵抗Ｒ１のみによって決定される。使用する受動素子の数を低減できるので、本発明の電気ホイッスルは、コンパクトとなり、製造費を比較的に低減できる。
【符号の説明】
【００５１】
１０：電源回路
２０：ブザー
３０：音用ＩＣ
３１：データベース
３２：発振ユニット
４０：制御ＩＣ
【図１】
2014026145.tif 000003
【図２】
2014026145.tif 000004
【図３】
2014026145.tif 000005